(57)【要約】【課題】扉が施錠された状態で、グレモンハンドルを動かそうとしてこのハンドルに大きな力を作用させても、グレモンハンドルが動かず、かつ施錠用部品は損傷しない。【解決手段】開口部１５の扉１１による閉止時にグレモン機構１３が扉を枠体１２に引き寄せて扉周縁を枠体に密着させる。グレモン機構は、扉の中央に回動可能に取付けられたグレモンハンドル１４と、グレモンハンドルに連結された第１係止具２１と、グレモンハンドルにアッパロッド１６及びロアロッド１７を介して連結された第２及び第３係止具２２，２３と、第１〜第３係止具に対向する枠体に形成され第１〜第３係止具を係止可能な第１〜第３被係止孔１２ａ〜１２ｃとを有する。グレモンハンドルの操作による第１〜第３係止具の第１〜第３被係止孔への係止時に、グレモンハンドルの操作を不能にするハンドルロック手段がアッパロッドの上端に設けられる。【選択図】図３
2010222907.tif 000002
【特許請求の範囲】
【請求項１】
建物の壁の開口部(15)周縁に沿って取付けられた枠体(12)と、前記枠体(12)に一方の側縁が枢着されて前記開口部(15)を開閉可能に閉止する扉(11)と、前記開口部(15)が前記扉(11)により閉止されたときに前記扉(11)を前記枠体(12)に引き寄せて前記扉(11)周縁を前記枠体(12)に密着させるグレモン機構(13)とを備え、前記グレモン機構(13)が、前記扉(11)の他方の側縁の中央に回動可能に取付けられたグレモンハンドル(14)と、前記グレモンハンドル(14)に連結され前記扉(11)の他方の側縁の中央から前記枠体(12)に向って出没する第１係止具(21)と、前記グレモンハンドル(14)にアッパロッド(16)を介して連結され前記扉(11)の他方の側縁の上部から前記枠体(12)に向って出没する第２係止具(22)と、前記グレモンハンドル(14)にロアロッド(17)を介して連結され前記扉(11)の他方の側縁の下部から前記枠体(12)に向って出没する第３係止具(23)と、前記第１〜第３係止具(21〜23)に対向する前記枠体(12)に形成され前記第１〜第３係止具(21〜23)をそれぞれ係止可能な第１〜第３被係止孔(12a〜12c)とを有する扉の開閉構造において、
前記グレモンハンドル(14)を操作して前記第１〜第３係止具(21〜23)が前記第１〜第３被係止孔(12a〜12c)に係止したときに、前記グレモンハンドル(14)の操作を不能にするハンドルロック手段(36,76)がアッパロッド(16)の上端又はロアロッド(17)の下端に設けられたことを特徴とするグレモンハンドルのロックシステム。
【請求項２】
扉(11)上部にアッパベルクランク(19)の中央がアッパ軸(24)を介して枢着され、前記アッパベルクランク(19)の基端にアッパロッド(16)の上端が枢着され、前記アッパベルクランク(19)の先端に第２係止具(22)が設けられ、ハンドルロック手段(36,76)が、前記扉(11)の上部かつ内部に上下動可能に収容され磁性材料により形成された被吸着体(37)と、前記アッパ軸(24)の回動を前記被吸着体(37)の上下運動に変換する運動変換機構(38,78)と、前記グレモンハンドル(14)を操作して前記第１〜第３係止具(21〜23)が前記第１〜第３被係止孔(12a〜12c)に係止したことを検出するハンドルセンサ(39)と、前記扉(11)の上部かつ内部に収容され前記被吸着体(37)を磁力により吸着する電磁石(41)と、前記電磁石(41)の磁力を解除する解除手段(42)と、前記ハンドルセンサ(39)及び前記解除手段(42)の各検出出力に基づいて前記電磁石(41)を制御する制御回路(44)とを有する請求項１記載のグレモンハンドルのロックシステム。
【請求項３】
扉下部にロアベルクランクの中央がロア軸を介して枢着され、前記ロアベルクランクの基端にロアロッドの下端が枢着され、前記ロアベルクランクの先端に第３係止具が設けられ、ハンドルロック手段が、前記扉の下部かつ内部に上下動可能に収容され磁性材料により形成された被吸着体と、前記ロア軸の回動を前記被吸着体の上下運動に変換する運動変換機構と、前記グレモンハンドルを操作して前記第１〜第３係止具が前記第１〜第３被係止孔に係止したことを検出するハンドルセンサと、前記扉の下部かつ内部に収容され前記被吸着体を磁力により吸着する電磁石と、前記電磁石の磁力を解除する解除手段と、前記ハンドルセンサ及び各解除手段の各検出出力に基づいて前記電磁石を制御する制御回路とを有する請求項１記載のグレモンハンドルのロックシステム。
【請求項４】
運動変換機構(38,78)が、レバー・ピン機構、カム機構、ピニオン・ラック機構、又はリンク機構のいずれかである請求項２又は３記載のグレモンハンドルのロックシステム。
【発明の詳細な説明】
【技術分野】
【０００１】
本発明は、グレモンハンドルを操作することにより部屋の電磁波シールド機能や遮音機能などを発揮する扉の開閉機構において、上記グレモンハンドルをロックするシステムに関するものである。
【背景技術】
【０００２】
従来、建物の開口部に設置された方形の枠に戸体が開閉可能に設けられ、戸体の戸先側に設けられた箱錠にラッチ及びラッチを操作する把手を設けるとともに、戸体の戸先側に上下方向に移動する移動部材が設けられ、移動部材にラッチの下方及び上方に少なくとも１つずつの係止手段が設けられるとともに、縦枠に各係止手段に離脱可能に係止する被係止手段が設けられ、更に移動部材の上方又は下方への移動により係止手段が被係止手段に係止されて戸体が枠側に引き寄せられて施錠され、移動部材の施錠動作時と反対方向への移動により係止手段の被係止手段による係止が解かれて解錠されるように構成された開口部装置が開示されている（例えば、特許文献１参照。）。この開口部装置では、ラッチを操作する把手が、移動部材の施錠方向の操作又は解錠方向の操作の少なくともいずれかの操作に兼用されるように構成される。また戸体のラッチより上方と下方に位置する箇所にそれぞれデッドボルトを有する本締まり錠が取付けられ、下方の本締まり錠は室外側からキーにて施錠できるようになっている。更に移動部材の中間部には孔が設けられ、この孔には上記デッドボルトを通す孔付きの合成樹脂製のガイドピースがその係止爪を移動部材の孔に押込んで孔の縁に係止させることにより取付けられる。
【０００３】
このように構成された開口部装置では、戸体の戸先側に箱錠を設け、この箱錠のラッチの上下にそれぞれ１つ以上の係止手段を設け、各係止手段に対応して縦枠に被係止手段を設けたので、戸体の戸先側の中間部を枠側に引き寄せることができ、戸体に反りがある場合においても、その反りを矯正して戸体を枠に密着した状態で閉めることができ、気密性が向上する。また箱錠の把手が、係止手段と被係止手段との係止又は係止解除による施錠又は解錠の少なくともいずれかに兼用されるため、操作が簡単となる上、操作部材の兼用により、部品点数が削減されるようになっている。
【先行技術文献】
【特許文献】
【０００４】
【特許文献１】特開平１１−２１０２９１号公報（請求項１、段落［００１１］、［００２３］、［００３３］、［００３４］）
【発明の概要】
【発明が解決しようとする課題】
【０００５】
しかし、上記従来の特許文献１に示された開口部装置では、本締まり錠のデッドボルトを移動部材の孔に挿入することにより移動部材の上下動が阻止されるけれども、この状態で箱錠の把手を動かそうとすると、デッドボルトと移動部材の孔との間にガタツキがあり、またデッドボルトが比較的小さく機械的強度が低いため、本締まり錠に大きな力が作用して、本締まり錠が故障するおそれがあった。一方、本締まり錠のデッドボルトが移動部材の孔ではなく枠に係合する構造とすると、本締まり錠を施錠した状態で、箱錠の把手を操作して箱錠を解錠することが可能となってしまい、この場合、戸体の枠への密着性が低下して戸体の性能を発揮できなくなる問題点があった。
【０００６】
本発明の目的は、扉が施錠された状態で、グレモンハンドルを動かそうとしてこのハンドルに大きな力を作用させても、グレモンハンドルが動かず、かつ施錠用部品を損傷させない、グレモンハンドルのロックシステムを提供することにある。本発明の別の目的は、扉の施錠状態でグレモンハンドルを操作することが可能となってしまうことによる扉の電磁波シールド性や扉の枠体への密着性等の性能の低下を防止できる、グレモンハンドルのロックシステムを提供することにある。
【課題を解決するための手段】
【０００７】
本発明の第１の観点は、図１〜図３及び図９に示すように、建物の壁の開口部１５周縁に沿って取付けられた枠体１２と、枠体１２に一方の側縁が枢着されて開口部１５を開閉可能に閉止する扉１１と、開口部１５が扉１１により閉止されたときに扉１１を枠体１２に引き寄せて扉１１周縁を枠体１２に密着させるグレモン機構１３とを備え、グレモン機構１３が、扉１１の他方の側縁の中央に回動可能に取付けられたグレモンハンドル１４と、グレモンハンドル１４に連結され扉１１の他方の側縁の中央から枠体１２に向って出没する第１係止具２１と、グレモンハンドル１４にアッパロッド１６を介して連結され扉１１の他方の側縁の上部から枠体１２に向って出没する第２係止具２２と、グレモンハンドル１４にロアロッド１７を介して連結され扉１１の他方の側縁の下部から枠体１２に向って出没する第３係止具２３と、第１〜第３係止具２１〜２３に対向する枠体１２に形成され第１〜第３係止具２１〜２３をそれぞれ係止可能な第１〜第３被係止孔１２ａ〜１２ｃとを有する扉の開閉構造において、グレモンハンドル１４を操作して第１〜第３係止具２１〜２３が第１〜第３被係止孔１２ａ〜１２ｃに係止したときに、グレモンハンドル１４の操作を不能にするハンドルロック手段３６がアッパロッド１６の上端又はロアロッド１７の下端に設けられたことを特徴とする。
【０００８】
本発明の第２の観点は、第１の観点に基づく発明であって、更に図１〜図３及び図９に示すように、扉１１上部にアッパベルクランク１９の中央がアッパ軸２４を介して枢着され、アッパベルクランク１９の基端にアッパロッド１６の上端が枢着され、アッパベルクランク１９の先端に第２係止具２２が設けられ、ハンドルロック手段３６が、扉１１の上部かつ内部に上下動可能に収容され磁性材料により形成された被吸着体３７と、アッパ軸２４の回動を被吸着体３７の上下運動に変換する運動変換機構３８と、グレモンハンドル１４を操作して第１〜第３係止具２１〜２３が第１〜第３被係止孔１２ａ〜１２ｃに係止したことを検出するハンドルセンサ３９と、扉１１の上部かつ内部に収容され被吸着体３７を磁力により吸着する電磁石４１と、この電磁石４１の磁力を解除する解除手段４２と、ハンドルセンサ３９及び解除手段４２の各検出出力に基づいて電磁石４１を制御する制御回路４４とを有することを特徴とする。
【０００９】
本発明の第３の観点は、第１の観点に基づく発明であって、更に扉下部にロアベルクランクの中央がロア軸を介して枢着され、ロアベルクランクの基端にロアロッドの下端が枢着され、ロアベルクランクの先端に第３係止具が設けられ、ハンドルロック手段が、扉の下部かつ内部に上下動可能に収容され磁性材料により形成された被吸着体と、ロア軸の回動を被吸着体の上下運動に変換する運動変換機構と、グレモンハンドルを操作して第１〜第３係止具が第１〜第３被係止孔に係止したことを検出するハンドルセンサと、扉の下部かつ内部に収容され被吸着体を磁力により吸着する電磁石と、この電磁石の磁力を解除する解除手段と、ハンドルセンサ及び解除手段の各検出出力に基づいて電磁石を制御する制御回路とを有することを特徴とする。
本発明の第４の観点は、第２又は第３の観点に基づく発明であって、更に図１及び図２に示すように、運動変換機構３８が、レバー・ピン機構、カム機構、ピニオン・ラック機構、又はリンク機構のいずれかであることを特徴とする。
【発明の効果】
【００１０】
本発明の第１の観点のロックシステムでは、グレモンハンドルを操作して第１〜第３係止具が第１〜第３被係止孔に係止したときに、グレモンハンドルの操作を不能にするハンドルロック手段をアッパロッドの上端又はロアロッドの下端に設けたので、扉が施錠された状態で、グレモンハンドルを動かそうとしてこのハンドルに大きな力を作用させても、グレモンハンドルの操作がハンドルロック手段により不能にされており、グレモンハンドルが動かない。この結果、ハンドルロック手段等の施錠用部品を損傷することはない。また本締まり錠のデッドボルトが移動部材の孔ではなく枠に係合する構造とした場合、従来の開口部装置では、本締まり錠を施錠した状態で、箱錠の把手を操作して箱錠を解錠することが可能となってしまい、戸体の枠への密着性が低下してしまっていたが、本発明では、そのような扉の電磁波シールド性や扉の枠体への密着性等の性能の低下を防止できる。即ち、本発明では、扉を施錠した状態でグレモンハンドルを操作することができない構造であるため、扉の施錠状態で扉の電磁波シールド性や扉の枠体への密着性等の性能が低下することはない。
【００１１】
本発明の第２の観点のロックシステムでは、扉が閉止した状態で解除手段により電磁石の磁力を解除した後に、グレモンハンドルを操作すると、電磁石が被吸着体を吸着する磁力を発揮していないので、第１〜第３係止具を第１〜第３被係止孔から離脱させることができる。このときグレモンハンドルに連結されたアッパロッドが上昇又は下降し、アッパベルクランク及びアッパ軸が回転するので、レバーが係合ピンを移動体とともに引き下げて、被吸着体が電磁石から離れる。一方、開放した扉を閉じてグレモンハンドルを操作すると、第１〜第３係止具を第１〜第３被係止孔に係止する。このときグレモンハンドルに連結されたアッパロッドが下降又は上昇し、アッパベルクランク及びアッパ軸が回転するので、レバーが係合ピンを移動体とともに押し上げて、被吸着体が電磁石に接触する。同時にハンドルセンサが、グレモンハンドルの操作により第１〜第３係止具が第１〜第３被係止孔に係止したことを検出するので、制御回路はこのハンドルセンサの検出出力に基づいて電磁石に通電する。この結果、電磁石が被吸着体をその磁力により吸着するので、扉が施錠される。その後、グレモンハンドルを操作しようとして、ハンドルに大きな力を作用させても、グレモンハンドルが動かない。また電磁石、運動変換機構などの施錠用部品が堅牢であるので、これらの部品は損傷しない。
【００１２】
本発明の第３の観点のロックシステムでは、扉が閉止した状態で解除手段により電磁石の磁力を解除した後に、グレモンハンドルを操作すると、電磁石が被吸着体を吸着する磁力を発揮していないので、第１〜第３係止具を第１〜第３被係止孔から離脱させることができる。このときグレモンハンドルに連結されたロアロッドが上昇又は下降し、ロアベルクランク及びロア軸が回転するので、レバーが係合ピンを移動体とともに引き下げて、被吸着体が電磁石から離れる。一方、開放した扉を閉じてグレモンハンドルを操作すると、第１〜第３係止具を第１〜第３被係止孔に係止する。このときグレモンハンドルに連結されたロアロッドが下降又は上昇し、ロアベルクランク及びロア軸が回転するので、レバーが係合ピンを移動体とともに押し上げて、被吸着体が電磁石に接触する。同時にハンドルセンサが、グレモンハンドルの操作により第１〜第３係止具が第１〜第３被係止孔に係止したことを検出するので、制御回路はこのハンドルセンサの検出出力に基づいて電磁石に通電する。この結果、上記と同様の効果を奏する。
【図面の簡単な説明】
【００１３】
【図１】（ａ）は本発明実施形態のグレモンハンドルのロックシステムを示す図２（ａ）のＡ−Ａ線断面図であり、（ｂ）は図２（ｂ）のＢ−Ｂ線断面図である。
【図２】（ａ）は図１（ａ）のＣ−Ｃ線断面図であり、（ｂ）は図１（ｂ）のＤ−Ｄ線断面図である。
【図３】図９の要部断面拡大図である。
【図４】図３のＥ−Ｅ線断面図である。
【図５】図９のＦ−Ｆ線断面図である。
【図６】図３のＧ−Ｇ線断面図である。
【図７】図３のＨ−Ｈ線断面図である。
【図８】図３のＩ−Ｉ線断面図である。
【図９】そのグレモンハンドルを含む扉により枠体の開口部を閉止した状態を示す正面図である。
【図１０】そのロックシステムの電気的接続を示すブロック図である。
【図１１】本発明の別の実施形態を示す図１に対応する断面図である。
【発明を実施するための形態】
【００１４】
次に本発明を実施するための形態を図面に基づいて説明する。建物に電磁波をシールドした部屋が設けられ、この部屋の壁に入退室するための開口部が設けられ、この開口部には電磁波シールド構造の扉が設けられる。図９に示すように、扉１１の開閉構造は、上記開口部１５周縁に沿って取付けられた枠体１２と、枠体１２に一方の側縁が枢着されて開口部１５を開閉可能に閉止する扉１１と、開口部１５が扉１１により閉止されたときに扉１１を枠体１２に引き寄せて扉１１周縁を枠体１２に密着させるグレモン機構１３とを備える。上記開口部１５は長方形状に形成され、枠体１２は開口部１５に嵌め込まれる。また扉１１は長方形状に形成され、その一方の側縁が枠体１２の一方の側縁に枢着されてこの枢着部を中心に水平面内で回動するように構成される。上記グレモン機構１３は、扉１１の他方の側縁の上下方向中央に回動可能に取付けられたグレモンハンドル１４と、グレモンハンドル１４に連結された第１係止具２１と、グレモンハンドル１４にアッパロッド１６を介して連結された第２係止具２２と、グレモンハンドル１４にロアロッド１７を介して連結された第３係止具２３と、第１〜第３係止具２１〜２３に対向する枠体１２に形成された第１〜第３被係止孔１２ａ〜１２ｃとを有する（図３及び図４）。第１係止具２１は扉１１の他方の側縁の中央から枠体１２の他方の側縁の中央に向って出没し、第２係止具２２は扉１１の他方の側縁の上部から枠体１２の上部に向って出没し、第３係止具２３は扉１１の他方の側縁の下部から枠体１２の下部に向って出没するように構成される。また第１〜第３係止具２１〜２３は突出したときに第１〜第３被係止孔１２ａ〜１２ｃにそれぞれ係止するように構成される。
【００１５】
グレモンハンドル１４，１４は略への字状に形成され、扉１１の他方の側縁中央の室内側及び室外側にそれぞれ設けられる（図３、図５、図７及び図９）。これらのハンドル１４，１４の屈曲部１４ａが扉に回動可能に貫通された中間軸１８の両端に接続されることにより、ハンドル１４，１４が扉に枢着される。これらのハンドル１４の基端には把持部１４ｂがそれぞれ設けられ、室内側のハンドル１４の先端にのみ上記第１係止具２１が設けられる。また扉１１の他方の側縁上部の室内側にはアッパベルクランク１９の中央がアッパ軸２４を介して枢着される。このアッパベルクランク１９の基端にはアッパ接続具２６の上端が枢着され、アッパベルクランク１９の先端には上記第２係止具２２が設けられる。また扉１１の他方の側縁下部の室内側にはロアベルクランク２７の中央がロア軸２８を介して枢着される。このロアベルクランク２７の基端にはロア接続具３１の下端が枢着され、ロアベルクランク２７の先端には上記第３係止具２３が設けられる。更に室内側のハンドル１４の把持部１４ｂと中間軸１８との間に中間接続具３１の中央が枢着される。この中間接続具３１の上端にアッパロッド１６の下端が接続され、アッパロッド１６の上端がアッパ接続具２６の下端に接続される。また中間接続具３１の下端にロアロッド１７の上端が接続され、ロアロッド１７の下端がロア接続具２９の上端に接続される。
【００１６】
一方、図４に詳しく示すように、第１〜第３被係止孔１２ａ〜１２ｃはそれぞれ縦長に形成され、これらの孔１２ａ〜１２ｃの一方の内側面（閉止した扉１１側の内側面）にはブロック３２がそれぞれ取付けられる。これらのブロック３２は、孔１２ａ〜１２ｃの下部に位置する薄肉部３２ａと、孔１２ａ〜１２ｃの上部に位置する厚肉部３２ｂと、薄肉部３２ａと厚肉部３２ｂとをなだらかに接続する傾斜部３２ｃとを有する。また図６〜図８に詳しく示すように、枠体１２の内周縁には、扉１１周縁に対向する凹溝１２ｄが形成され、この凹溝１２ｄには帯状弾性体３３が挿着される。この帯状弾性体３３は天然ゴム又は合成ゴムのラテックススポンジ紐などを導電性網体で被包することにより形成される。更に扉１１には枠体１２の凹溝１２ｄに対向してステンレス鋼などの金属により形成された突起３４が設けられる。グレモンハンドル１４を操作して第１〜第３係止部２１〜２３が第１〜第３被係止孔１２ａ〜１２ｃの薄肉部３２ａから傾斜部３２ｃを通って厚肉部３２ｂに移動すると（図４）、扉１１が枠体１２に引き寄せられ、扉１１の突起３４が枠体１２の凹溝１２ｄ内の帯状弾性体３３に食い込んで、扉１１周縁が枠体１２に密着して電磁波がシールドされるようになっている（図６〜図８）。
【００１７】
本実施の形態の特徴ある構成は、グレモンハンドル１４を操作して第１〜第３係止具２１〜２３が第１〜第３被係止孔１２ａ〜１２ｃに係止したときに、グレモンハンドル１４の操作を不能にするハンドルロック手段３６がアッパロッド１６の上端に設けられたところにある（図１〜図３）。このハンドルロック手段３６は、扉１１の上部かつ内部に上下動可能に収容された被吸着体３７と、アッパ軸２４の回動を被吸着体３７の上下運動に変換する運動変換機構３８と、グレモンハンドル１４を操作して第１〜第３係止具２１〜２３が第１〜第３被係止孔１２ａ〜１２ｃに係止したことを検出するハンドルセンサ３９と、扉１１の上部かつ内部に収容された電磁石４１と、この電磁石４１の磁力を解除する解除手段４２と、ハンドルセンサ３９及び解除手段４２の各検出出力に基づいて電磁石４１を制御する制御回路４４とを有する（図１〜図３及び図１０）。
【００１８】
上記被吸着体３７、運動変換機構３８及び電磁石４１は両側面が開口するケース４３に収容され、このケース４３は扉１１内部に収容される（図１及び図２）。被吸着体３７は鋼等の磁性材料により比較的厚い板状に形成される。また運動変換機構３８は、この実施の形態では、レバー・ピン機構である。具体的には、運動変換機構３８は、基端がアッパ軸２４に嵌着され先端に切欠き部４６ａが形成されたレバー４６と、上面に被吸着体３７が取付けられケース４３内を上下動可能な移動体４７と、この移動体４７に設けられレバー４６の切欠き部４６ａに遊挿された係合ピン４８とを有する。ケース４３の内部には、移動体４７の幅より僅かに広い幅を維持しながら上下方向に所定の間隔をあけて複数の案内ピン４３ａが２列に取付けられる。移動体４７はこれら２列の案内ピン４３ａに案内されてケース４３内を上下動するように構成される。また移動体４７は両側面が開口する箱状に形成され、幅方向中央に沿いかつ下端から上部に延びる凹部４７ａを有する。この凹部４７ａがアッパ軸２４に遊嵌され、レバー４６が移動体４７内でアッパ軸２４を中心に回動することにより切欠き部４６ａに遊挿された係合ピン４８が移動体４７とともに上下動するようになっている。
【００１９】
ハンドルセンサ３９はグレモンハンドル１４又は中間軸１８の近傍に設けられ、グレモンハンドル１４又は中間軸１８の回動を検出する（図３及び図１０）。具体的には、ハンドルセンサ３９は、グレモンハンドル１４を操作して、第１〜第３係止具２１〜２３が第１〜第３被係止孔１２ａ〜１２ｃに係止したときにオンし、第１〜第３係止具２１〜２３が第１〜第３被係止孔１２ａ〜１２ｃから離脱したときにオフするように構成される。また解除手段４２は、この実施の形態では、扉１１に施された入退管理システムである（図１０）。この入退管理システム４２では、扉１１の近傍の壁の室外側及び室内側にそれぞれ入退チェック装置４２ａが設けられ、これらの入退チェック装置４２ａにカードを挿入するか、指や掌をかざすか、或いは暗証番号をテンキー入力することにより、入退室が許可された者であるか否かが検出される。そして入退室が許可された者であることが検出されると、電磁石４１への通電が解除され、入退室が許可された者でないことが検出されると、電磁石４１への通電が維持されるように構成される。更に電磁石４１は被吸着体３７に対向するようにケース４３の上壁下面に取付けられる（図１及び図２）。ハンドルセンサ３９及び入退管理システム４２の各検出出力は制御回路４４の制御入力に接続され、制御回路４４の制御出力は電磁石４１に接続される（図１０）。また制御回路４４にはメモリ４４ａが設けられ、このメモリ４４ａには入退が許可された者のカード情報、生体情報又は暗証番号が記憶されている。
【００２０】
このように構成されたグレモンハンドル１４のロックシステムの動作を説明する。電磁波をシールドした部屋に入る場合、入室しようとする者は、入退管理システム４２の入退チェック装置４２ａにカードを挿入するか、指や掌をかざすか、或いは暗証番号をテンキー入力する。そして制御回路４４は、入退チェック装置４２ａの検出した上記カードの情報、生体情報又は暗証番号が記憶情報と一致すると判断すると、電磁石４１への通電を解除する。この状態で入室しようとする者がグレモンハンドル１４を操作すると、電磁石４１が被吸着体３７を吸着する磁力を発揮していないので、グレモンハンドル１４の把持部１４ｂを引上げて、第１〜第３係止具２１〜２３を第１〜第３被係止孔１２ａ〜１２ｃから離脱させることができる。このときグレモンハンドル１４に連結された中間接続具３１とアッパロッド１６とアッパ接続具２６とが上昇して、アッパベルクランク１９の基端側が上方に回転するので、アッパ軸２４が図１（ｂ）の実線矢印の方向に回転し、レバー４６が係合ピン４８を移動体４７とともに引き下げて、被吸着体３７が電磁石４１から離れる。
【００２１】
上記入室しようとする者が入室して部屋の内側から扉１１を閉めてグレモンハンドル１４を押下げると、第１〜第３係止具２１〜２３を第１〜第３被係止孔１２ａ〜１２ｃに係止することができる。このときグレモンハンドル１４に連結された中間接続具３１とアッパロッド１６とアッパ接続具２６とが下降して、アッパベルクランク１９の基端側が下方に回転するので、アッパ軸２４が図１（ａ）の破線矢印の方向に回転し、レバー４６が係合ピン４８を移動体４７とともに押し上げて、被吸着体３７が電磁石４１に接触する。同時にハンドルセンサ３９が、グレモンハンドル１４の操作により第１〜第３係止具２１〜２３が第１〜第３被係止孔１２ａ〜１２ｃに係止したことを検出してオンするので、制御回路４４はこのハンドルセンサ３９の検出出力に基づいて電磁石４１に通電する。この結果、電磁石４１が被吸着体３７をその磁力により吸着するので、扉１１が施錠される。その後、グレモンハンドル１４を操作しようとして、ハンドル１４に大きな力を作用させても、ハンドル１４は動かない。また電磁石４１、運動変換機構３８などの施錠用部品が堅牢であるので、これらの部品は損傷しない。
【００２２】
なお、上記実施の形態では、運動変換機構をアッパ軸側に設けたが、運動変換機構をロア軸側に設けてもよい。この場合、ハンドルロック手段が、扉の下部かつ内部に上下動可能に収容され磁性材料により形成された被吸着体と、ロア軸の回動を被吸着体の上下運動に変換する運動変換機構と、グレモンハンドルを操作して第１〜第３係止具が第１〜第３被係止孔に係止したことを検出するハンドルセンサと、扉の下部かつ内部に収容され被吸着体を磁力により吸着する電磁石と、この電磁石の磁力を解除する解除手段と、ハンドルセンサ及び解除手段の各検出出力に基づいて電磁石を制御する制御回路とを有する。
また、上記実施の形態では、解除手段として入退管理システムを挙げたが、解除手段を、扉に取付けられた解除ノブや解除キーシリンダと、これらの動きを検出するセンサとにより構成してもよい。この場合、解除ノブや解除キーシリンダの動きがセンサにより検出され、このセンサの検出出力が制御回路の制御入力に接続される。
【００２３】
上記実施の形態では、運動変換機構としてレバー・ピン機構を用いたが、カム機構、ピニオン・ラック機構又はリンク機構などの運動変換機構を用いてもよい。運動変換機構としてカム機構を用いる場合には、図１１に示すように、ハンドルロック手段７６の運動変換機構７８は、基端がアッパ軸２４に嵌着されたカム８６と、上面に被吸着体３７が取付けられケース８３内を上下動可能な移動体８７と、この移動体８７に上下方向に所定の間隔をあけて設けられカム８６を遊嵌する一対の係合ピン８８，８８とを有する。ケース８３の内部には、移動体８７の幅より狭い幅を維持しながら上下方向に所定の間隔をあけて複数の案内ピン８３ａが２列に取付けられる。また移動体８７は両側面が開口する箱状に形成される。移動体８７は、幅方向中央に沿いかつ下端から上部に延びる凹部８７ａと、上記２列の案内ピン８３ａをそれぞれ遊挿可能な一対の長孔８７ｂ，８７ｂとを有する。移動体８７は２列の案内ピン８３ａに案内されてケース８３内を上下動するように構成される。また上記凹部８７ａがアッパ軸２４に遊嵌され、カム８６が移動体８７内でアッパ軸２４を中心に回動することによりカム８６に遊嵌された一対の係合ピン８８，８８が移動体８７とともに上下動するようになっている。図１１において図１と同一符号は同一部品を示す。
【００２４】
運動変換機構としてピニオン・ラック機構を用いる場合には、アッパ軸にピニオンが嵌入され、このピニオンに噛合し上下動可能に設けられたラックに電磁石が取付けられる。このピニオン・ラック機構では、アッパ軸が回転すると、ピニオンが回転し、このピニオンの回転運動がラックの直線運動に変換されて電磁石が上下動するように構成される。
運動変換機構としてリンク機構を用いる場合には、アッパ軸に第１リンクの基端が嵌着され、上下動可能な電磁石に第２リンクの基端が取付けられ、第１リンクの先端と第２リンクの先端とが連結される。即ち、このリンク機構は、エンジンのクランク軸の回転運動をピストンの直線運動に変換する機構に近似する機構である。このリンク機構では、アッパ軸が回転すると、第１リンクが回転し、この第１リンクの回転運動が第２リンクの基端の直線運動に変換されて電磁石が上下動するように構成される。
【符号の説明】
【００２５】
１１  扉
１２  枠体
１２ａ  第１被係止孔
１２ｂ  第２被係止孔
１２ｃ  第３被係止孔
１３  グレモン機構
１４  グレモンハンドル
１５  開口部
１６  アッパロッド
１７  ロアロッド
１８  中間軸
１９  アッパベルクランク
２１  第１係止具
２２  第２係止具
２３  第３係止具
２４  アッパ軸
３６，７６  ハンドルロック手段
３７  被吸着体
３８，７８  運動変換機構
３９  ハンドルセンサ
４１  電磁石
４２  解除手段（入退管理システム）
４４  制御回路
【図１】
2010222907.tif 000003
【図２】
2010222907.tif 000004
【図３】
2010222907.tif 000005
【図４】
2010222907.tif 000006
【図５】
2010222907.tif 000007
【図６】
2010222907.tif 000008
【図７】
2010222907.tif 000009
【図８】
2010222907.tif 000010
【図９】
2010222907.tif 000011
【図１０】
2010222907.tif 000012
【図１１】
2010222907.tif 000013